【手続補正書】
【提出日】平成20年1月18日(2008.1.18)
【手続補正１】
【補正対象書類名】明細書
【補正対象項目名】特許請求の範囲
【補正方法】変更
【補正の内容】
【特許請求の範囲】
【請求項１】  電動モータと、この電動モータにより駆動される回転工具と、前記電動モータを囲繞すると共に前記回転工具のオペレータに把持される把持部と、回転工具と作業部材の結合により回転工具に加えられる負荷トルクを検出すると共に、負荷トルクが予め設定したトルク値に達した際に回転工具の駆動を停止するトルク設定自動停止手段と、前記回転工具によるオペレータの低温火傷を予防するための手段とからなり、
前記低温火傷を予防する手段は、前記把持部の温度が予め設定された４５℃〜６５℃からなる温度範囲の検出を行う温度センサと、前記把持部の温度が予め設定された４５℃〜６５℃からなる温度範囲において、前記温度センサにより応答して前記電動モータの電源を遮断するための前記温度センサと操作可能に接続された電源遮断手段とを備えたことを特徴とする電動回転工具。
【請求項２】  前記把持部の温度が４５℃〜６５℃からなる前記把持部の温度検出を行う温度センサは、電動モータのケーシング等の温度が５５℃〜７５℃からなる温度範囲を検出することを特徴とする請求項１記載の電動回転工具。
【請求項３】  前記電源遮断手段により遮断された後の電動モータを再駆動するためのリセット手段をさらに備え、前記リセット手段は、前記把持部の温度が、予め設定された４５℃〜６５℃からなる温度範囲以下に低下した際に、電動モータを再駆動可能にするために前記電源遮断手段に操作可能に接続されていることを特徴とする請求項１または２記載の電動回転工具。
【請求項４】  前記電源遮断手段は、温度センサにより検出される前記把持部の温度が、予め設定した４５℃〜６５℃からなる温度範囲またはそれ以上となった場合に作動するスイッチ回路から構成されることを特徴とする請求項１ないし３のいずれかに記載の電動回転工具。
【手続補正２】
【補正対象書類名】明細書
【補正対象項目名】０００４
【補正方法】変更
【補正の内容】
【０００４】
また、電動モータにより回転駆動するドライバービットを有する電動ドライバー等の電源回路にスイッチング回路を設け、前記電動モータが駆動する際に電源回路に流れる負荷電流が、ねじ締めの完了に近づいて所定の締付けトルクに達すると、所定値以上の過負荷電流に増大することから、この状態を検知して電動モータへの駆動電流の供給を遮断し、その後一定時間経過した際に電動モータへの駆動電流の供給を復帰させるようにし、さらに電動モータの電機子回路に切換機構を設けて、前記スイッチング回路が電動モータへの駆動電流の供給を遮断する際に前記電動モータの電機子回路を短絡し、電動モータを回生制動により瞬時に停止するように構成した自動通電遮断装置を備えた電動ドライバー等も提案されている（特公昭５７−４３３８９号公報）。なお、前記スイッチング回路は、一定時間のみＯＦＦ状態となるので、次のねじ締め作業を行うタイミングにおいては、スイッチング回路が自動復帰してＯＮ状態となり、電動モータを駆動させて次のねじ締め作業を直ちに着手することができる機能を備えている。
【手続補正３】
【補正対象書類名】明細書
【補正対象項目名】０００８
【補正方法】変更
【補正の内容】
【０００８】
【課題を解決するための手段】
前記の目的を達成するため、本発明に係る電動回転工具は、電動モータと、この電動モータにより駆動される回転工具と、前記電動モータを囲繞すると共に前記回転工具のオペレータに把持される把持部と、回転工具と作業部材の結合により回転工具に加えられる負荷トルクを検出すると共に、負荷トルクが予め設定したトルク値に達した際に回転工具の駆動を停止するトルク設定自動停止手段と、前記回転工具によるオペレータの低温火傷を予防するための手段とからなり、
前記低温火傷を予防する手段は、前記把持部の温度が予め設定された４５℃〜６５℃からなる温度範囲の検出を行う温度センサと、前記把持部の温度が予め設定された４５℃〜６５℃からなる温度範囲において、前記温度センサにより応答して前記電動モータの電源を遮断するための前記温度センサと操作可能に接続された電源遮断手段とを備えたことを特徴とする。
【手続補正４】
【補正対象書類名】明細書
【補正対象項目名】０００９
【補正方法】変更
【補正の内容】
【０００９】
この場合、前記把持部の温度が４５℃〜６５℃からなる前記把持部の温度検出を行う温度センサは、電動モータのケーシング等の温度が５５℃〜７５℃からなる温度範囲を検出するように構成することができる。
【手続補正５】
【補正対象書類名】明細書
【補正対象項目名】００１０
【補正方法】変更
【補正の内容】
【００１０】
また、前記電源遮断手段により遮断された後の電動モータを再駆動するためのリセット手段をさらに備え、前記リセット手段は、前記把持部の温度が、予め設定された４５℃〜６５℃からなる温度範囲以下に低下した際に、電動モータを再駆動可能にするために前記電源遮断手段に操作可能に接続された構成とすることができる。
さらに、前記電源遮断手段は、温度センサにより検出される前記把持部の温度が、予め設定した４５℃〜６５℃からなる温度範囲またはそれ以上となった場合に作動するスイッチ回路から構成することができる。
【手続補正６】
【補正対象書類名】明細書
【補正対象項目名】００１８
【補正方法】変更
【補正の内容】
【００１８】
そこで、本実施例の電動回転工具においては、オペレータが直接手を触れる把持部１０の温度が、例えば４５℃〜６５℃の範囲であっても、長時間（例えば２時間以上）連続して触れている場合には、その接触時間に応じて接触皮膚面およびその内部に至る炎症程度が増大するような低温火傷を生じることから、温度センサ２０により電動モータ１２のケーシング等の温度が、５５℃〜７５℃以上となったことを検知した場合に、コントロールユニット２４に設けた電源遮断手段２５をＯＦＦ動作させて、電動モータ１２の駆動を停止するように構成したオペレータの低温火傷を予防するための手段を設けたものである。
【手続補正７】
【補正対象書類名】明細書
【補正対象項目名】００２０
【補正方法】変更
【補正の内容】
【００２０】
また、本発明において、前記電動モータ１２の駆動を停止する電源遮断手段２５は、ケーシング等の温度が、例えば５５℃以下となった際に、この状態を前記温度センサ２０により検知して、電動モータ１２の再駆動を行うリセット手段を設けた構成とすることにより、電動回転工具の利用が簡便となる。すなわち、ケーシング等の温度が、５５℃以下となったことは、把持部の温度が前述した４５℃〜６５℃以下となって、低温火傷を予防し得る状態となったことを意味する。
【手続補正８】
【補正対象書類名】明細書
【補正対象項目名】００２３
【補正方法】変更
【補正の内容】
【００２３】
【発明の効果】
前述した実施例から明らかな通り、本発明に係る内部発熱温度検知機能を備えた電動回転工具によれば、把持部に電動モータを内蔵し、前記電動モータの駆動によりドライバービット等の回転工具を駆動してねじ締め等の作業を行うと共に、前記所定の作業の完了に伴う回転工具に生じる負荷トルクを検出し、前記負荷トルクが予め設定したトルク値に達した際に回転工具の駆動を停止するトルク設定自動停止手段を設けた電動回転工具を操作するオペレータの低温火傷を予防するための手段として、前記電動モータを囲繞すると共に前記回転工具のオペレータにより把持される把持部に対し、前記把持部の温度が予め設定された４５℃〜６５℃からなる温度範囲の検出を行う温度センサを設け、前記把持部の温度が予め設定された４５℃〜６５℃からなる温度範囲において、前記温度センサにより応答して前記電動モータの電源を遮断するための前記温度センサと操作可能に接続された電源遮断手段を設けることにより、簡単な構成で、電動回転工具の把持部に内蔵した電動モータの発熱によるオペレータに対する低温火傷等の被害を、簡便かつ容易に防止することができると共に、電動回転工具による各種作業の効率向上と共にその使用における安全性を高めることができる。
この場合、前記温度センサは、前記把持部に内蔵した電動モータのケーシング等に設置し、電動モータの発熱によるケーシング等の温度が５５℃〜７５℃以上となった際に、この状態を検知して電動モータの電源を遮断するスイッチ回路を作動させるように設定することにより、簡便な低温火傷を予防するための手段を構成することができる。
そして、電源を遮断された後の電動モータは、把持部の温度が予め設定された４５℃〜６５℃からなる温度範囲以下に低下した際に、再駆動するためのリセット手段を設けることにより、電動回転工具としての利便性および安全性をより一層高めることができる。